(57)【特許請求の範囲】
【請求項１】
空気調和機の運転制御操作信号を出力する遠隔操作装置と、前記遠隔操作装置からの信号を受信する受信部と、この受信部から取り込まれた信号を解読し、空気調和機のアクチュエータの動作、あるいは外部メモリへのデータ書き込みを行うコンピュータを具備した空気調和機において、前記コンピュータに、演算装置の動作速度を切り換える演算速度切換手段と、前記空気調和機の運転モード、停止モードを判定するモード判定手段を設け、さらに前記演算速度切換手段により、前記モード判定手段が空気調和機の運転停止を判定した時は、前記演算装置の動作速度を、遠隔操作装置からの信号解読を可能とする程度に遅く、また遠隔操作装置からの信号を解読して運転モードと判断した時、前記コンピュータの演算装置の動作速度を停止時より速くし、上記空気調和機の運転が停止している状態でも、外部メモリへ書き込みをしている間は、上記コンピュータの演算装置の動作速度を運転中と同じように速くすることを特徴とする空気調和機の制御方法。
【請求項２】
上記コンピュータの演算装置の動作速度を、遅いモードから速いモードに切り換える処理は、制御プログラムの一定の場所で行なうことを特徴とする請求項１記載の空気調和機の制御方法。
【請求項３】
上記空気調和機の運転が停止し、上記コンピュータの演算装置の動作速度が遅い状態のときは、前記コンピュータ内部のＡ／Ｄ変換処理を実施しないよう制御プログラムで設定したことを特徴とする請求項１または２記載の空気調和機の制御方法。
【発明の詳細な説明】
【０００１】
【発明の属する技術分野】
本発明は、空気調和機の運転制御内容を、コンピュータにより演算処理する空気調和機の制御方法に関するものである。
【０００２】
【従来の技術】
従来、制御用として空気調和機に搭載しているマイクロコンピュータは、空気調和機の運転・停止に関わらず、制御装置を構成するマイクロコンピュータの演算装置（以下、ＣＰＵと称す）の動作速度が一定であり、空気調和機のファンモータや室外機などに電源を供給するリレーなどのアクチュエータの動作制御および、運転時間データなどの外部メモリ
への書き込みは、ＣＰＵの一定動作速度によって行なわれていた。
【０００３】
【発明が解決しようとする課題】
上記従来の空気調和機では、ＣＰＵの動作速度が、空気調和機の運転・停止に関わらず一定であり、マイクロコンピュータで消費される電力は、空気調和機が停止している時でも運転中と変わらない条件で消費していた。
【０００４】
このように、従来は、空気調和機の特に停止時における制御装置による消費電力（以下、待機電力と称す）を低減することが困難であった。
【０００５】
本発明は、従来の課題に着目し、空気調和機の動作に影響なく待機電力の低減を目的とする。
【０００６】
【課題を解決するための手段】
上記課題を解決するため、請求項１記載の発明は、空気調和機の運転制御操作信号を出力する遠隔操作装置と、前記遠隔操作装置からの信号を受信する受信部と、この受信部から取り込まれた信号を解読し、空気調和機のアクチュエータの動作、あるいは外部メモリへのデータ書き込みを行うコンピュータを具備した空気調和機において、前記コンピュータに、演算装置の動作速度を切り換える演算速度切換手段と、前記空気調和機の運転モード、停止モードを判定するモード判定手段を設け、さらに前記演算速度切換手段により、前記モード判定手段が空気調和機の運転停止を判定した時は、前記演算装置の動作速度を、遠隔操作装置からの信号解読を可能とする程度に遅く、また遠隔操作装置からの信号を解読して運転モードと判断した時、前記コンピュータの演算装置の動作速度を停止時より速くし、上記空気調和機の運転が停止している状態でも、外部メモリへ書き込みをしている間は、上記コンピュータの演算装置の動作速度を運転中と同じように速くすることを特徴とするものである。
【０００７】
さらに、請求項２記載の発明は、上記コンピュータの演算装置の動作速度を、遅いモードから速いモードに切り換える処理は、制御プログラムの一定の場所で行なうことを特徴とするものである。
【０００８】
また、請求項３記載の発明は、上記空気調和機の運転が停止し、上記コンピュータの演算装置の動作速度が遅い状態のときは、前記コンピュータ内部のＡ／Ｄ変換処理を実施しないよう制御プログラムで設定したことを特徴とするものである。
【０００９】
【発明の実施の形態】
以下、本発明の実施の形態について図面を参考に説明する。
【００１０】
（実施の形態１）
本発明は、図１に示すように、空気調和機の運転制御操作信号を出力する遠隔操作装置６と、前記遠隔操作装置６からの信号を受信する受信部４と、この受信部４から取り込まれた信号を解読し、空気調和機のアクチュエータ（圧縮機・ファンモータなどの起動リレーなど）３を動作させたり、外部メモリ５にデータ書き込み等の制御を行なうマイクロコンピュター１を具備している。
【００１１】
さらに、前記マイクロコンピュータ１は、演算装置１ａの動作速度を切り換える演算速度切換手段１ｂと、前記空気調和機の運転モード、停止モードを判定するモード判定手段１ｃを具備している。
【００１２】
そして、図２に示すように、前記演算速度切換手段１ｂにより、前記モード判定手段１
ｃが空気調和機の運転停止を判定した時（ステップ２０２）は、前記演算装置１ａの動作速度を、遠隔操作装置６からの信号解読を可能とする程度に遅く（ステップ２０４）、また遠隔操作装置６からの信号を解読して運転モードと判断した時、前記マイクロコンピュータ１の演算装置１ａの動作速度を停止時より速くする（ステップ２０３）。
【００１３】
上記演算装置１ａの動作速度を切り換えは、具体的にはマイクロコンピュター１のプログラムソフトで実施される。
【００１４】
したがって、停止時に遠隔操作装置６から正規の信号（運転信号・設定温度信号など）を受信した時のみ演算装置（以下、ＣＰＵと称す）１ａの動作速度を速くでき、例えば外乱等による信号を受信してもＣＰＵ１ａの動作速度は遅い状態のままであり、いたずらにＣＰＵ１ａの動作速度を速くすることがない。
【００１５】
その結果、空気調和機が停止しているときのマイクロコンピュータ１による消費電力が低減でき、よって空気調和機の待機電力を低減する。
【００１６】
（実施の形態２）
また、上記空気調和機の運転が停止している状態において、図３に示すように、例えば積算した運転時間などの時間情報のように、外部メモリ５への書き込みが必要なデータを、外部メモリ５へ書き込こんでいる間（ステップ３０１）は、上記マイクロコンピュータ１の演算装置１ａの動作速度を、運転中と同じように速くする（ステップ３０２）ものである。
【００１７】
かかる制御により、速い動作速度で外部メモリ５への書き込みを行い、書き込みを短時間で終了する。
【００１８】
したがって、途中で電源が遮断するといった場合でも書き込み不良となる確率が少なくなり、信頼性が向上するという作用を有する。
【００１９】
（実施の形態３）
さらに、上記マイクロコンピュータ１の演算装置１ａの動作速度において、遅いモードから速いモードに切り換える処理を、図４に示すように制御プログラムの一定の場所（ステップ４０２）で行なうことにより、ＣＰＵ１ａの動作速度を、速いモードに切り換えて処理を行うため（ステップ４０３）、マイクロコンピュータ１の動作が不安定になることがない。
【００２０】
（実施の形態４）
また、上記空気調和機の運転が停止し、上記マイクロコンピュータ１の演算装置１ａの動作速度が遅い状態（ステップ５０１）のときは、前記マイクロコンピュータ１内部のＡ／Ｄ変換処理を実施しないよう（ステップ５０２）制御プログラムで設定することができる。
【００２１】
これにより、Ａ／Ｄ変換処理に要する電力を削減でき、停止時の待機電力を更に低減できる。
【００２２】
【実施例】
以下、本発明の実施例を図面に基づいて詳細に説明する。
【００２３】
（実施例１）
図１は本発明の一実施例における空気調和機の制御装置の概略構成図である。図１にお
いて、１はコンピュータの一例としてのマイクロコンピュータ（以下、マイコンと称す）で、演算装置１ａと、この演算装置１ａの動作速度を切り換える演算速度切換手段１ｂと、空気調和機の運転モード、停止モードを判定するモード判定手段１ｃを具備している。この演算装置１ａの動作速度を切り換えは、具体的にはマイクロコンピュター１のプログラムソフトで実施される。このマイコン１は、空気調和機の運転制御を行う回路を構成する制御基板２に搭載されている。この制御基板２により、空気調和機の送風機（ファンモータ）や室外機に電源を供給するリレーなどの各種アクチュエータ３が制御される。また４は赤外光による遠隔操作装置６からの信号を受信する受信部で、前記マイコン１に接続されている。５は外部メモリであり、必要なときに前記マイコン１より制御に必要なデータが書き込まれる。
【００２４】
図２は上記空気調和機の制御装置の制御内容を示すフローチャートである。
スタートの状態は停止中であり、マイコン１のＣＰＵ１ａの動作速度は遅い状態（以下、低速モードと称す）にある。
【００２５】
まず、受信部４より信号が受信されたかどうかを判定する（ステップ２０１）。受信ありと判断されると、その信号を解読し正規の運転信号かどうかを判断する（ステップ２０２）。
【００２６】
正規の運転信号と判断すると、運転制御を行うためにマイコン１のＣＰＵ１ａの動作速度を速くし（以下、高速モードと称す）、各種アクチュエータ３の駆動信号を出力する（ステップ２０３）。
【００２７】
ステップ２０２で正規の運転信号と判断されなかった場合、あるいはステップ２０１で信号が受信されない場合は、低速モードを継続する（ステップ２０４）。
【００２８】
この低速モードの動作速度は、少なくとも受信信号が解読可能な速度に設定している。たとえば、低速モード時のＣＰＵ１ａの動作速度を、高速モード時の動作速度の１／８とすると、マイコン１の消費電力を約１／４程度に低減させることができる。
【００２９】
このように、停止時に遠隔操作装置６から正規の信号を受信した時のみＣＰＵ１ａの動作速度を高速モードとすることにより、外乱等による信号（ノイズ信号など）を受信しても、ＣＰＵ１ａの動作速度は低速モードのままであり、いたずらにＣＰＵ１ａの動作速度を速くすることがないため、空気調和機が停止しているときのコンピュータ１の消費電力を低減できる。よって空気調和機の待機電力を低減することができる。
【００３０】
（実施例２）
図３は、他の実施例を示す上記空気調和機の制御装置の制御方法を示すフローチャートである。なお、制御回路の構成については、先の実施例１と同じであるため、説明を省略する。
【００３１】
本実施例は、空気調和機の運転が停止している状態でも、外部メモリへ書き込みが必要な場合の制御内容を示すものである。
すなわち、運転時間の積算結果を記録する場合のように、継続して使用するデータ内容を、前記ＣＰＵ１の動作速度が遅いまま書き込みを行うと、その書き込みに時間がかかり、途中で電源が遮断するといったことが発生した場合、書き込み不良となる。本実施例ではこのような不具合を解消する。
【００３２】
同図において、スタートの状態は停止中であり、マイコン１のＣＰＵ１ａの動作速度は遅い状態、すなわち、低速モードにある。
【００３３】
そして、外部メモリ５への書き込みが発生したかどうかを判断し（ステップ３０１）、書き込み発生の場合はマイコン１のＣＰＵ１ａの動作速度を高速モードに移行させる（ステップ３０２）。
【００３４】
一方、ステップ３０１で外部メモリ５への書き込みが発生せずと判断された場合は、低速モードを継続する（ステップ３０３）。
【００３５】
このように、本実施例は、速い動作速度、すなわち、高速モードで外部メモリ５への書き込みを行うことで、書き込みが短時間で終了し、途中で電源が遮断するといった場合でも書き込み不良となる確率が少なくなり、信頼性が向上する。
【００３６】
（実施例３）
図４は、さらに他の実施例を示す上記空気調和機の制御装置の制御方法を示すフローチャートである。なお、制御回路の構成については、先の実施例１と同じであるため、説明を省略する。
【００３７】
制御データ処理において、遠隔操作装置６からの信号を受けて、正規の運転信号であると判断された場合に、プログラムのどの場所にいるのか関係なくＣＰＵ１の動作速度を高速モードに切り換えると、タイマーカウント等の値が不安定になる場合がある。
【００３８】
このようなことを回避するために、本実施例においては、ＣＰＵ１の動作速度を切り換える処理は制御プログラムの一定の場所でのみ実施するようにしている。
【００３９】
図４において、スタートの状態は停止中であり、マイコン１のＣＰＵ１ａの動作速度は遅い状態、すなわち、低速モードにある。
【００４０】
そして、タイマーカウント等の一連の処理を実施するといったプログラムのあとに（ステップ４０１）、受信信号を解読して運転モードと判断されてＣＰＵ１ａの動作速度が、高速モード移行と指示されているかどうかを判断する（ステップ４０２）。
【００４１】
ここで、高速モードの指示が出ている場合は、ＣＰＵ１の動作速度を高速モードに切り換える（ステップ−４０３）。
【００４２】
また、指示が出ていない場合は、低速モードのままである（ステップ−４０４）。  なお、ステップ４０２は、基本的に制御プログラム一巡のなかで定められた位置に一回しか発生しない。
このように、ＣＰＵ１の動作速度を、低速モードから高速モードに切り換える処理を制御プログラムの中で一定の場所で行なうことにより、ＣＰＵ１の動作速度の切り換え処理時に発生の可能性があるコンピュータ動作の不安定を防止することができる。
【００４３】
（実施例４）
図５は、さらに他の実施例を示す上記空気調和機の制御装置の制御方法を示すフローチャートである。なお、制御回路の構成については、先の実施例１と同じであるため、説明を省略する。
【００４４】
同図において、ステップ５０１でＣＰＵ１ａの動作速度が低速モードかどうか判断する。そこで低速モードと判断された場合は、マイコン１のＡ／Ｄ変換処理を停止させる（ステップ５０２）。
【００４５】
また、低速モードでないときは、Ａ／Ｄ変換処理を実施する（ステップ５０３）。
【００４６】
このように、本実施例によると、空気調和機の運転が停止してＣＰＵ１ａの動作速度が低速モード状態のときは、マイコン１のＡ／Ｄ変換処理を実施しないよう制御プログラムを設定することで、Ａ／Ｄ変換処理に要する電力を削減することができ、停止時の待機電力を更に低減できる。
【００４７】
【発明の効果】
以上の説明から明らかなように、請求項１記載の発明によれば、空気調和機の運転停止時に、遠隔操作装置から正規の信号（運転信号・設定温度信号など）を受信した時のみ演算装置の動作速度を速くし、例えば外乱等による信号を受信しても演算装置の動作速度は遅い状態のままにあるため、いたずらに演算装置の動作速度を速くすることがなく、空気調和機が停止しているときのマイクロコンピュータによる消費電力が低減でき、その結果、空気調和機の待機電力が低減できる。
また、上記空気調和機の運転が停止している状態において、例えば積算した運転時間などの時間情報のように、外部メモリへの書き込みが必要な場合、マイクロコンピュータの演算装置の動作速度を、運転中と同じように速くするもので、速い動作速度で外部メモリへの書き込みを行うため、書き込みを短時間で終了することができ、途中で電源が遮断するといった場合でも書き込み不良となる確率が少なくなり、信頼性が向上する。
【００４８】
さらに、請求項２記載の発明は、上記マイクロコンピュータの演算装置の動作速度において、遅いモードから速いモードに切り換える処理を、制御プログラムの一定の場所で行なうことにより、演算装置の動作速度を、速いモードに切り換えて処理を行うため、マイクロコンピュータの動作が不安定になることがない。
【００４９】
さらにまた、請求項３記載の発明は、上記空気調和機の運転が停止し、上記マイクロコンピュータの演算装置の動作速度が遅い状態のときは、前記マイクロコンピュータ内部のＡ／Ｄ変換処理を実施しないように設定することにより、Ａ／Ｄ変換処理に要する電力が削減でき、停止時の待機電力を更に低減できる。
【図面の簡単な説明】
【図１】  本発明の一実施例を示す空気調和機の制御装置の概略構成図
【図２】  本発明の一実施例における空気調和機の制御方法の制御内容を示すフローチャート
【図３】  本発明の他の実施例における空気調和機の制御方法の制御内容を示すフローチャート
【図４】  本発明のさらに他の実施例における空気調和機の制御方法の制御内容を示すフローチャート
【図５】  本発明のさらに他の実施例における空気調和機の制御方法の制御内容を示すフローチャート
【符号の説明】
１    マイクロコンピュータ
１ａ  演算装置
１ｂ  演算速度切換手段
１ｃ  モード判定手段
２    制御基板
３    各種アクチュエータ
４    受信部
５    外部メモリ
６    遠隔操作装置
【図１】
0003788132.tif 000002
【図２】
0003788132.tif 000003
【図３】
0003788132.tif 000004
【図４】
0003788132.tif 000005
【図５】
0003788132.tif 000006